(57)【特許請求の範囲】
【請求項１】
天板の端縁近傍で当該天板の下面側に取り付けられた取付板を介してコンセントを配置するとともに、前記コンセントに差し込まれるプラグ、コネクタ類の保護手段を設けたテーブルにおいて、
前記保護手段はカバープレートにより構成され、その後端部が前記取付板に装着されて前端が天板の前端縁の略直下に延びる前後幅を備え、当該カバープレートの前端と天板の下面との間に隙間を有する状態を元の位置とする一方、前端を押し下げることで前記隙間を拡大する方向に回転可能に設けられていることを特徴とするテーブル。
【発明の詳細な説明】
【０００１】
【発明の属する技術分野】
本発明はテーブルに係り、更に詳しくは、天板下にコンセントを設けた際に、当該コンセントに差し込まれるプラグ、コネクタ類を保護することのできるテーブルに関する。
【０００２】
【従来の技術】
近時、パーソナルコンピュータやインターネット等の通信網の普及により、情報のやりとりをコンピュータで行うことが多くなっている。このような状況下においては、オフィスにおける会議等でも、入出力作業や通信を行えるようにして業務効率の改善を図り、最新の情報取得も可能にしたいという要請がある。
【０００３】
そこで、最近では、会議等に用いるテーブルの天板下にコンセントを備えたテーブルが出現するに至っている。これによれば、会議中においてもリアルタイムで入出力作業や、情報の取得が可能になる他、天板の上面側に特別な加工を行う必要性も一掃することができる。
【０００４】
【発明が解決しようとする課題】
しかしながら、天板の下面側にコンセントを設けた場合には、当該コンセントに差し込まれているプラグ、コネクタ類に、着座している者の膝、大腿部或いは椅子の肘掛けが当り易く、これに起因してプラグ、コネクタ類がコンセントから不用意に抜け出てしまうことがあり、これが重要なデータ消失や、通信の意図しない遮断等の不利益をもたらす要因となる。
【０００５】
【発明の目的】
本発明は、このような不都合に着目して案出されたものであり、その目的は、天板の下面側にコンセントを設けた場合であっても、当該コンセントに差し込まれるプラグ、コネクタ類に膝等が直接当らないように保護することのできるテーブルを提供することにある。
【０００６】
【課題を解決するための手段】
前記目的を達成するため、本発明は、天板の端縁近傍で当該天板の下面側に取り付けられた取付板を介してコンセントを配置するとともに、前記コンセントに差し込まれるプラグ、コネクタ類の保護手段を設けたテーブルにおいて、
前記保護手段はカバープレートにより構成され、その後端部が前記取付板に装着されて前端が天板の前端縁の略直下に延びる前後幅を備え、当該カバープレートの前端と天板の下面との間に隙間を有する状態を元の位置とする一方、前端を押し下げることで前記隙間を拡大する方向に回転可能に設けられる、という構成を採っている。このような構成とすることで、テーブル回りに着座している者の膝や、椅子の肘掛けがプラグ等に直接当るようなことはなく、それらの差し込み状態を安定して維持することが可能となる。
【００１０】
【実施例】
以下、本発明の実施例を図面を参照しながら説明する。
【００１１】
図１には、本発明が幕板付きテーブルに適用された概略斜視図が示されている。この図において、テーブル１０は、平面視略長方形となる天板１１と、この天板１１の長手方向両側に位置して当該天板１１を回転可能に支持する支柱１２，１２及びこれら支柱１２，１２の下端部に設けられたベース１３，１３とからなる一対の支持体１５，１５と、前記天板１１の後部（図１では手前側）に位置して面の向きが略鉛直位置とされた幕板１６とを備えて構成されている。
【００１２】
前記天板１１は、図２及び図３に示されるように、長手方向両側の下面にそれぞれ設けられたブラケット１７を介して支柱１２の上部内面側に支持されている。具体的には、天板１１は、略水平位置と、天板１１の後部が幕板１３の上部外面側に位置する鉛直位置まで回転可能に設けられている（図４及び図５参照）。この回転移動は、ブラケット１７の下縁側に設けられた操作レバー１８を所定操作することによって行うことができる。なお、天板１１を回転させるための機構は公知の機構が採用されており、従って、ここでは、その詳細な構造と説明を省略する。
【００１３】
天板１１において、その前端縁１１Ａ近傍の下面側にはコンセントＣが当該前端縁１１Ａに沿って左右二箇所領域に分散して複数設けられている。このコンセントＣは、図６及び図７に示されるように、天板１１の下面側に取り付けられた断面略クランク型の取付板２０を介して装着されている。すなわち、取付板２０は、天板１１の下面に沿う上平面部２０Ａと、この上平面部２０Ａの内方端に連なる鉛直面部２０Ｂと、当該鉛直面部２０Ｂの下端から後方に向けられた下平面部２０Ｃとにより構成され、鉛直面部２０Ｂの面内に形成された穴２０Ｄを利用することによってコンセントＣが取り付けられている。本実施例におけるコンセントＣは、特に限定されるものではないが、電源用のコンセントＣ１と、ＬＡＮケーブル接続用の情報コンセントＣ２を含んで構成され、これら電源用のコンセントＣ１及び情報コンセントＣ２にプラグ２２及びコネクタ２３が抜き差し可能となっている。
【００１４】
前記取付部２０の下平面部２０Ｃには、保護手段としてのカバープレート２５がヒンジ部材２６を介して装着されている。ヒンジ部材２６は、その一方の片２６Ａが前記下平面部２０Ｃに固定され、他方の片２６Ｂがカバープレート２５の後端側に固定されている。また、ヒンジ部材２６の基端外周側には、前記各片２６Ａ，２６Ｂを相互に略平行な位置に保つようにするための、断面Ｃ字状のばね部材２９が設けられている。
【００１５】
前記カバープレート２５は、前記下平面部２０Ｃの下方位置を後端部として天板１１における前端縁１１Ａの略直下位置まで延びる前後幅を備えた単一の板材によって構成され、これにより、前端縁１１Ａに沿って左右両側に分散配置された各コンセントＣに差し込まれるプラグ２２，コネクタ２３の下方領域を全体的且つ同時にカバーできるようになっている。ここで、カバープレート２５の前端２５Ａ（図６中右端）は、後端に対して若干上方位置となるように緩やかに湾曲した形状に設けられ、これにより、天板１１の下面とカバープレート２５の前端２５Ａとの間の隙間Ｓが狭められてプラグ２２及びコネクタ２３の隠蔽効果が得られるようになっている。なお、カバープレート２５は、前端２５Ａを下方に押し下げるように外力を付与することで、前記ばね部材２９のばね力に抗して時計方向に回転移動可能となる（図６（Ｂ）及び図７（Ｂ）参照）。
【００１６】
カバープレート２５の後方にはケーブルガイド３０が配置されている。このケーブルガイド３０は、前記カバープレート２５の対称形状に近似した形状に設けられている。すなわち、ケーブルガイド３０は、カバープレート２５に沿って延びる単一の板材によって構成されているとともに、後端３０Ａ（図６中左端）が、相対的に若干上方位置となるように緩やかに湾曲した形状に設けられている。このケーブルガイド３０は、前部に略Ｌ型の固定片３２を備え、当該固定片３２を前記取付板２０の下平面部２０Ｃに図示しないねじ等を介して固定することによって一定位置に保たれる。また、ケーブルガイド３０の上面は、コンセントＣの背面側から導出するケーブルＣＡを同一方向に沿わせて引き回しでき、複数のケーブルＣＡを天板１１の下面側に設けられた通路３５を通過させて幕板１６の内面側まで引き回すことができるようになっている。
【００１７】
前記通路３５は前後方向に開通する形状に設けられ、図４に示されるように、前端（図４中右端）がケーブルガイド３０側に開放する一方、後端（同図中左端）が幕板１６の上部側に開放するようになっている。
【００１８】
前記幕板１６は、上部内面側が天板１１の後部下面側に蝶番部材３７を介して連結されている一方、下部内面側が前記支柱１２から延びるアーム３８の先端に連結され、これにより、幕板１６の面向きが略鉛直位置となる状態を保ったまま、天板１１が蝶番部材３７の軸部３７Ａを相対回転中心として水平位置と起立位置との間で回転可能となる。
【００１９】
前記幕板１６において、その内面側にはケーブル収納部４０が設けられている。このケーブル収納部４０は、幕板１６の内面に対して一定の収納空間を形成するとともに、上端及び左右両端が開放した形状に設けられ、この収納空間内に前記コンセントＣの背面側から天板１１下を通って導出した複数本のケーブルＣＡを集束することができるようになっている。
【００２０】
また、前記ケーブル収納部４０内にはコードリール４２が設けられており、当該コードリール４２から導出しているプラグ４３が、床面若しくは壁面の図示しないコンセントに差し込まれるようになっている。このコードリール４２には、図４に示されるように、ＯＡタップ４４が併設されており、当該ＯＡタップ４４に電源用のコンセントＣ１の背面側から導出している複数のケーブルＣＡがそれぞれ接続されるようになっている。
【００２１】
なお、図１中、符号４５は、天板１１の下面に固定されたブラケット１７，１７に支持された下棚を示す。
【００２２】
次に、本実施例におけるテーブル１０の作用について説明する。
【００２３】
天板１１上に置かれる図示しない電子機器側のプラグ２２若しくはコネクタ２３を前記コンセントＣ１，Ｃ２に抜き差しするときは、図６（Ｂ）及び図７（Ｂ）に示されるように、カバープレート２５の前端２５Ａを上方より押し下げて当該前端２５Ａと天板１１の下面との間の隙間Ｓを大きく開放させることによって、作業空間を拡大した状態で行うことができる。
【００２４】
コンセントＣ１，Ｃ２にプラグ２２、コネクタ２３が差し込まれた後は、カバープレート２５の押し下げ力を解除すればよい。これにより、カバープレート２５は、ヒンジ部材２６の基端側に設けられているばね部材２９のばね力によって、元の位置に復帰することとなり、プラグ２２及びコネクタ２３を下方よりカバーすることとなる。
【００２５】
また、コンセントＣに図示しないＡＣアダプター等を差し込むときは、前記隙間Ｓを拡大させておくことで、天板１１の下面とカバープレート２５との間にアダプターを挟み込むように受容して当該アダプターを下方よりカバーすることができる。
【００２６】
コンセントＣの背面側から導出するケーブルＣＡは、ケーブルガイド３０上に載せられた状態で、図３中右側に位置する通路３５の前端側まで引き回される。この際、ケーブルガイド３０上に延びる各ケーブルＣＡを当該ケーブルガイド３０上面に固定的に保つことができる図示しない留め具若しくはテープ類を用いるとよい。
【００２７】
前記ケーブルＣＡは、天板１１下面における通路３５の前端３５Ａから後端３５Ｂに挿入され、情報コンセントＣ２に接続されているケーブルＣＡの余長分は集束された状態でケーブル収納部４０内に収納される。そして、通信線を接続する場合には、ケーブル収納部４０から情報コンセントＣ２を引き出してオフィス等のネットワークに接続することができる。
【００２８】
なお、電源用のコンセントＣ１の背面側から導出したケーブルＣＡは、前述したＯＡタップ４４に接続され、電源を取得する際に、コードリール４２のプラグ４３を床面等の電源コンセントに差し込めばよい。
【００２９】
テーブル１０を折り畳むべく天板１１を起立位置にする場合には、前記操作レバー１８を所定操作して天板１１の前端１１Ａを頂点とするように回転させればよい。この際、天板１１は、蝶番部材３７の軸部３７Ａを、幕板１６との相対回転中心とすることから、天板１１下の通路３５の後端３５Ｂ位置とケーブル収納部４０との相対距離は殆ど変化することがない。そのため、天板１１と幕板１６とが相対回転するタイプのテーブル１０であっても、ケーブルＣＡに弛みや過大な引っ張り等が生ずることはない。
【００３０】
従って、このような実施例によれば、天板１１の下面側にコンセントＣを設けた場合であっても、これに差し込まれるプラグ等が不用意に抜け出てしまうような虞を解消することができる。
【００３１】
また、コンセントＣの背面側から導出するケーブルＣＡは、天板１１の前部から後部に向かって延びるとともに、当該後部から幕板１６の内面側に設けられたケーブル収納部４０に延びて収納される構成であるため、天板１１を回転させた場合でも、弛みや引っ張り力等がケーブルＣＡに作用することもない。
【００３２】
なお、本発明におけるコンセントＣの保護手段は前記実施例に限定されるものではなく、例えば、図８ないし図１０に示される構成等に代替することができる。すなわち、コンセントＣを備えた支持部材５０の両端面５０Ａ，５０Ａに、回転部材５１，５１をそれぞれ設けるとともに、これら回転部材５１，５１間に単一の線材からなるバー５３を設けた構成等を採用することができる。これにより、コンセントＣの手前側に位置するように横方向に延びるバー５３の部分でコンセントＣに差し込まれるプラグ、コネクタ類が不用意に抜け出ることがないように保たれる。
【００３３】
また、前記実施例では、天板１１の前端縁１１側にコンセントＣを配置した場合を図示、説明したが、天板１１の側端縁にコンセントＣを配置することでもよい。
【００３４】
【発明の効果】
以上説明したように、本発明によれば、天板の下面側に設けられたコンセントに差し込まれるプラグ、コネクタ類の保護手段を設ける構成としたから、テーブル回りに着座している者の膝や、椅子の肘掛けがプラグに直接当るようなことはなく、それらの差し込み状態を安定して維持することが可能となる。
【００３５】
また、保護手段は、プラグを下方よりカバー可能に設けられている一方、プラグの抜き差しの妨げとならない位置に移動可能に設けられているため、天板と保護手段との間が、プラグから導出するケーブルを通過させるとができる程度の隙間であってもよく、プラグを確実に保護することができる。この一方、プラグの抜き差しを行うときに、前記隙間を大きくするように保護手段が移動できるため、抜き差し操作も容易に行うことができる。
【００３６】
更に、保護手段がアダプターを受容可能に設けられている構成では、プラグに比べてサイズの大きなアダプターであっても、当該アダプターを保護手段と天板との間に挟んでこれを保持することができる。
【００３７】
また、天板の端縁に沿って延びる単一の板材若しくはバーからなる保護手段が複数箇所に分散配置されたコンセントを保護する構成としたから、保護手段の部品点数を増加させることがなく、当該保護手段を移動させるための機構も簡易なものとすることができる。
【図面の簡単な説明】
【図１】実施例に係るテーブルの概略斜視図。
【図２】前記テーブルの天板を折り畳んだ状態を示す概略斜視図。
【図３】前記テーブルの正面図。
【図４】図３の左側面図。
【図５】天板を折り畳んだ状態を示す左側面図。
【図６】（Ａ）は電源用コンセント領域を示す拡大断面図、（Ｂ）は（Ａ）の状態からカバープレートを移動させて電源用コンセントの抜き差しを行う状態を示す拡大断面図。
【図７】（Ａ）はＬＡＮケーブルのコネクタ領域を示す拡大断面図、（Ｂ）は（Ａ）の状態からカバープレートを移動させてコネクタの抜き差しを行う状態を示す拡大断面図。
【図８】前記実施例以外の変形例を示すテーブルを正面側から見た概略斜視図。
【図９】図８の一部拡大図。
【図１０】図９の右側面図。
【符号の説明】
１０  テーブル
１１  天板
１５  支持体
１６  幕板
２２  プラグ
２３  コネクタ
２５  カバープレート（保護手段）
３０  ケーブルガイド
３５  通路
４０  ケーブル収納部
５３  バー（保護手段）
Ｃ  コンセント
Ｃ１  電源コンセント
Ｃ２  情報コンセント
ＣＡ  ケーブル
Ｓ  空間
【図１】
0004686950.tif 000002
【図２】
0004686950.tif 000003
【図３】
0004686950.tif 000004
【図４】
0004686950.tif 000005
【図５】
0004686950.tif 000006
【図６】
0004686950.tif 000007
【図７】
0004686950.tif 000008
【図８】
0004686950.tif 000009
【図９】
0004686950.tif 000010
【図１０】
0004686950.tif 000011